(57)【特許請求の範囲】
【請求項１】
前軸部と該前軸部内に摺動自在に嵌合して互いの段差位置まで伸縮調節自在の後軸部とよりなり、前軸部は、口金を螺着した合成樹脂製の前軸本体と、該前軸本体に内設し、後軸本体に臨む合成樹脂製の芯筒に挿脱自在に緊入して口金より芯先を突出自在としたボールペンリフィルと、該ボールペンリフィルの先端位置において口金と鍔との間にコイルバネを介してボールペンリフィルの芯先を隠蔽する位置まで突出自在とした摺動先金と、芯筒の内側に固定の固定台座部を貫遊し先端を摺動先金の鍔に接しコイルバネに抗して押圧自在とした押圧短杆と、芯筒の基端に固定し後述の後軸天冠の掛止凸部が係合する合成樹脂製の掛止凹部とよりなり、摺動先金は隠蔽部と、該隠蔽部が外嵌接合していて後端に口金の内径よりも大きい径の鍔を有する合成樹脂製の摺動部とに分かれ、隠蔽部と摺動部との接合部にできた掛止段と口金の内側の掛止段が衝当し掛止自在とすると共に、口金の後端部と鍔部との間の空間に前記コイルバネが装填してあり、
後軸部は、前軸本体内に押入し押圧短杆を押圧自在な合成樹脂製の後軸本体と、前記掛止凹部に止着自在の合成樹脂製の掛止凸部を設けた後軸天冠とよりなり、後軸本体の前軸本体への押入操作により押圧短杆、摺動先金を押圧自在とすると共に後軸天冠の掛止凸部は押入位置において前軸本体の掛止凹部と止着自在とした伸縮式ボ−ルペン。
【発明の詳細な説明】
【０００１】
【産業上の利用分野】
本発明は伸縮式ボ−ルペンの改良に関するもの、本体の殆どを合成樹脂製としたものである。
【０００２】
【従来技術及びその欠点】
従来伸縮式のボ−ルペンは、特公平２−５７０４０号発明等に明らかなように部品の殆どが金属製となっているため、部品数が多く、又その加工が煩雑を極め、加工精度が要求されると共に歩留まりも悪く、勢い製品も高くなる等の欠点があり、更には金属と金属の摺接する部分が多いため耐久性や、耐食性に難点があり、而も伸縮作動に際しゴソゴソするなどフィ−リングが良くなくなる等の欠点がある。
【０００３】
【発明が解決しようとする課題】
本発明は以上のような従来伸縮式ボ−ルペンの欠点を解決しようとするもので、全体の殆どを合成樹脂製として、部品の省略化、組立ての簡易化を計り、安価に提供できるようにすると共に、耐久性や、耐食性に優れ、而も伸縮作動に際してのフィ−リングが良いものを提供しようとするものである。
【０００４】
【実施例】
本発明を図示の実施例により詳記すると、前軸部１と該前軸部１内に摺動自在に嵌合して互いの段差２，３位置まで伸縮調節自在の後軸部４とよりなり、前軸部１は口金５を螺着した合成樹脂製の前軸本体６と、該前軸本体６に内設し、後述の後軸本体２３に臨む合成樹脂製の芯筒７に挿脱自在に緊入して口金５より芯先８’を突出自在としたボールペンリフィル８と、該ボールペンリフィル８の先端位置において口金５と鍔１８との間にコイルバネ９を介してボールペンリフィル８の芯先８’を隠蔽する位置まで突出自在とした摺動先金１０と、芯筒７の内側に固定の固定台座部１１の貫通孔１２を貫遊し先端を摺動先金１０の鍔１８に接しコイルバネ９に抗して押圧自在とした押圧短杆１３と、芯筒７の基端に固定し後述の後軸天冠１４の掛止凸部１５が係合する合成樹脂製の掛止凹部１６とよりなる。この掛止凹部１６は後述の後軸本体２３の内側に摺接し、又前軸部１における前軸本体６の掛止段２部は後軸本体２３の外周に摺接し、後軸部４における後軸本体２３の掛止段３部は前軸本体６の内周に摺接している。
【０００５】
摺動先金１０は金属製の隠蔽部１７と、該隠蔽部１７が外嵌接合していて後端に口金５の内径よりも大きい径の鍔１８を有する合成樹脂製の摺動部１９とに分かれ、隠蔽部１７と摺動部１９との接合部にできた掛止段２０と口金５の内側掛止段２１が衝当し掛止自在とすると共に、口金５の後端部と鍔部１８との間に形成された空間２２に前記コイルバネ９が装填してある。
【０００６】
後軸部４のは、前軸本体６内に押入し押圧短杆１３を押圧自在な合成樹脂製の後軸本体２３と、前記掛止凹部１６に止着自在の合成樹脂製の掛止凸部１５を設けた後軸天冠１４とよりなり、後軸本体２３の前軸本体６への押入操作により後軸本体２３の前端部が押圧短杆１３を押圧し、この押圧短杆１３が摺動先金１０を押圧自在とし、後軸天冠１４の掛止凸部１５は、押入位置において前軸本体６の掛止凹部１６と止着自在としたものである。
【０００７】
図中２４はクリップ、２５は補強リングである。
【０００８】
【作用】
本案は以上の如く具現されるもので、これを使用するには図２の縮小状態から図１の伸張状態にするには後軸本体２３を後方に引いて掛止凹部１６と掛止凸部１５を強制的に解くことにより、押圧短杆１３と後軸本体２３の押圧が解けコイルバネ９によって摺動先金１０が内方に押し入れられ、同時にボールペンリフィル８の芯先８’が露出し、筆記状態になる。
【０００９】
又後軸本体２３を限界まで後方に引くことにより全体が一番長い状態（図１）となる。
【００１０】
又図１の伸張状態より図２の縮小状態にするには前記と逆の操作、即ち後軸本体２３を前方に押出すことによって後軸本体２３の前端が押圧短杆１３を押圧して摺動先金１０の鍔部１８を押し、摺動先金５の隠蔽部１７をコイルバネ９に抗して前方に押し出し、ボールペンリフィル８の芯先８’を隠すと同時に掛止凹部１６と掛止凸部１５が掛止して全体が図２の縮小状態になって納まる。
【００１１】
【効果】
本発明は叙上の如く、前軸部と該前軸部内に摺動自在に嵌合して互いの段差位置まで伸縮調節自在の後軸部とよりなり、前軸部は、口金を螺着した合成樹脂製の前軸本体と、該前軸本体に内設し、後軸本体に臨む合成樹脂製の芯筒に挿脱自在に緊入して口金より芯先を突出自在としたボールペンリフィルと、該ボールペンリフィルの先端位置において口金と鍔との間にコイルバネを介してボールペンリフィルの芯先を隠蔽する位置まで突出自在とした摺動先金と、芯筒の内側に固定の固定台座部を貫遊し先端を摺動先金の鍔に接しコイルバネに抗して押圧自在とした押圧短杆と、芯筒の基端に固定し後述の後軸天冠の掛止凸部が係合する合成樹脂製の掛止凹部とよりなり、摺動先金は隠蔽部と、該隠蔽部が外嵌接合していて後端に口金の内径よりも大きい径の鍔を有する合成樹脂製の摺動部とに分かれ、隠蔽部と摺動部との接合部にできた掛止段と口金の内側の掛止段が衝当し掛止自在とすると共に、口金の後端部と鍔部との間の空間に前記コイルバネが装填してあり、
後軸部は、前軸本体内に押入し押圧短杆を押圧自在な合成樹脂製の後軸本体と、前記掛止凹部に止着自在の合成樹脂製の掛止凸部を設けた後軸天冠とよりなり、後軸本体の前軸本体への押入操作により押圧短杆、摺動先金を押圧自在とすると共に後軸天冠の掛止凸部は押入位置において前軸本体の掛止凹部と止着自在とし、殆どの部品が合成樹脂製となっているため、部品の殆どが一体成型作業ででき、金属製の加工頻度に比べ大幅な省略化ができ、組立て作業が簡単であると同時に、部品数も大幅に削減でき安価に提供できる。
【図面の簡単な説明】
【図１】本発明ボ−ルペンの伸張時における断面図。
【図２】本発明ボールペンの縮小時における断面図。
【図３】図１における口金部分の拡大断面説明図。
【図４】図１における前軸本体の掛止段と後軸本体の掛止段との掛止状態を示した拡大断面説明図。
【符号の説明】
１は前軸部
２は掛止段
３は掛止段
４は後軸部
５は口金
６は前軸本体
７は芯筒
８はボールペンリフィル
９はコイルバネ
１０は摺動先金
１１は固定台座部
１３は押圧短杆
１４は後軸天冠
１５は掛止凸部
１６は掛止凹部
１７は隠蔽部
１８は鍔
１９は摺動部
２０は掛止段
２１は掛止段
２２空間
２３は後軸本体
【図１】
0003596607.tif 000002
【図２】
0003596607.tif 000003
【図３】
0003596607.tif 000004
【図４】
0003596607.tif 000005